(57)【要約】【課題】  容易に無線ＬＡＮ接続の設定が可能な無線通信装置及び無線通信方法を提供すること。【解決手段】  無線ＬＡＮ通信部９は、無線ＬＡＮへ接続して通信を行う。近距離無線通信部１５は、近距離無線リーダ／ライタと近距離無線通信を行う。通信システム接続アプリ制御部２０は、近距離無線通信部１５を介して取得した無線ＬＡＮ設定情報に基づいて、無線ＬＡＮの通信設定を自動設定し、情報保存手段２５は、無線ＬＡＮの通信設定を記憶する。【選択図】  図１
2006166311.tif 000002
【特許請求の範囲】
【請求項１】
無線ＬＡＮへ接続して通信を行う無線ＬＡＮ通信手段と、
近距離無線通信を行う近距離無線通信手段と、
前記近距離無線通信手段を介して取得した無線ＬＡＮ設定情報に基づいて無線ＬＡＮの通信設定を自動設定する無線ＬＡＮ通信設定手段と、
前記無線ＬＡＮの通信設定を記憶する記憶手段と、
を備える無線通信端末。
【請求項２】
請求項１記載の無線通信端末であって、
前記無線ＬＡＮ設定情報には、その含まれる少なくとも一部の情報に関する表示可否情報を含み、
前記無線ＬＡＮ通信設定手段は、前記表示可否情報に従って、無線ＬＡＮ通信設定の表示を制御する無線通信端末。
【請求項３】
請求項１又は２記載の無線通信端末であって、
前記無線ＬＡＮ設定情報は、無線ＬＡＮ設定の有効期限を示す期限情報を含み、
前記無線ＬＡＮ通信設定手段は、前記期限情報に従って、前記記憶手段に記憶されている無線通信設定情報を削除する無線通信端末。
【請求項４】
近距離無線通信を行い、無線ＬＡＮ設定情報を取得するステップと、
前記取得した無線ＬＡＮ設定情報に基づいて無線ＬＡＮの通信設定を行うステップと、
前記設定した無線ＬＡＮの通信設定を記憶するステップと、
を有する無線通信方法。
【発明の詳細な説明】
【技術分野】
【０００１】
本発明は、無線ＬＡＮに接続可能な無線通信端末及び無線通信方法に関する。
【背景技術】
【０００２】
近年、駅の自動改札機に設けられた非接触ＩＣリーダ／ライタと、駅の利用者が携帯する非接触ＩＣカードとの間で近距離無線通信を行って改札を行う自動改札システム等、非接触ＩＣカードを利用したサービスが普及している。
【０００３】
そして、このような非接触ＩＣ機能を備える携帯型の無線通信端末も普及し始めている。例えば、このような無線通信端末を利用した出入管理システムがあった（例えば、特許文献１参照）。
【０００４】
この出入管理システムは、駅構内や電車内等の公共での携帯電話利用による呼出音に関するマナーが社会間題となっていることを鑑みて、無線通信端末の使用者が自動改札等の出入管理装置を通過する時に、出入管理装置が無線通信端末の非接触ＩＣカードに対してマナーモード設定の要求を送信し、無線通信端末がその要求を受けてマナーモードに切り替えるものである。
【特許文献１】特開２００２−１９９４５７号公報
【発明の開示】
【発明が解決しようとする課題】
【０００５】
ところで、駅の構内や喫茶店等の場所において、無線ＬＡＮ（Local Area Network）を行うことが可能なサービスが普及しつつあり、上述のような携帯型の無線通信端末を用いて無線ＬＡＮサービスを受けるニーズが高まっている。
【０００６】
しかしながら、無線ＬＡＮ通信を行うには、使用者が無線通信端末に、接続する基地局装置の識別情報等を設定する必要があった。このような設定に必要な情報は、特に使用者が意識する必要はないものの、無線通信端末の設定画面において情報を入力する等の作業が必要となり、使用者にとって煩雑かつ面倒であったという事情があった。
【０００７】
本発明は、上記従来の事情に鑑みてなされたものであって、容易に無線ＬＡＮ接続の設定が可能な無線通信装置及び無線通信方法を提供することを目的とする。
【課題を解決するための手段】
【０００８】
本発明の無線通信端末は、無線ＬＡＮへ接続して通信を行う無線ＬＡＮ通信手段と、近距離無線通信を行う近距離無線通信手段と、前記近距離無線通信手段を介して取得した無線ＬＡＮ設定情報に基づいて無線ＬＡＮの通信設定を自動設定する無線ＬＡＮ通信設定手段と、前記無線ＬＡＮの通信設定を記憶する記憶手段と、を備える。
【０００９】
この構成により、近距離無線通信において行われる通信時に無線ＬＡＮ設定情報を記憶し、その情報に基づいて無線ＬＡＮ接続の設定を行うので、簡易に無線ＬＡＮ接続の設定を行うことができる。
【００１０】
また、本発明の無線通信端末において、前記無線ＬＡＮ設定情報には、その含まれる少なくとも一部の情報に関する表示可否情報を含み、前記無線ＬＡＮ通信設定手段は、前記表示可否情報に従って、無線ＬＡＮ通信設定の表示を制御する。
【００１１】
この構成により、無線ＬＡＮ接続の設定情報のうち、例えば、外部に漏洩するのが好ましくない情報についての表示を禁止することも可能となるので、セキュリティレベルを向上させることができる。
【００１２】
また、本発明の無線通信端末において、前記無線ＬＡＮ設定情報は、無線ＬＡＮ設定の有効期限を示す期限情報を含み、前記無線ＬＡＮ通信設定手段は、前記期限情報に従って、前記記憶手段に記憶されている無線通信設定情報を削除する。
【００１３】
この構成により、有効期限を設けたサービスの提供を行うことも可能となる。
【００１４】
本発明の無線通信方法は、近距離無線通信を行い、無線ＬＡＮ設定情報を取得するステップと、前記取得した無線ＬＡＮ設定情報に基づいて無線ＬＡＮの通信設定を行うステップと、前記設定した無線ＬＡＮの通信設定を記憶するステップと、を有する。
【００１５】
この方法により、近距離無線通信において行われる通信時に無線ＬＡＮ設定情報を記憶し、その情報に基づいて無線ＬＡＮ接続の設定を行うので、簡易に無線ＬＡＮ接続の設定を行うことができる。
【発明の効果】
【００１６】
本発明によれば、容易に無線ＬＡＮ接続の設定が可能な無線通信装置及び無線通信方法を提供することができる。
【発明を実施するための最良の形態】
【００１７】
図１は、本発明の実施形態に係る無線通信端末の概略構成を示すブロック図である。図１に示すように、本実施形態の無線通信端末１は、無線ＬＡＮ通信部９と、制御部１４と、近距離無線通信部１５と、通信システム接続アプリ制御部２０と、入出力部２２と、操作部２４と、情報保存手段２５とを備える。
【００１８】
無線ＬＡＮ通信部９は、無線ＬＡＮ（Local Area Network）へ接続し、基地局との間で通信を行うものであり、通信の無線処理を行う通信システム無線部１０と、送受信処理を行う通信システム送受信部１２とを有する。
【００１９】
近距離無線通信部１５は、例えば、図示しないリーダ／ライタとの間で近接型の非接触通信を行うものであり、通信の無線処理を行う近距離通信システム無線部１６と、近距離通信システム送受信部１８とを有する。
【００２０】
情報保存手段２５は、無線通信端末１を利用するユーザを認証するための無線通信端末１と着脱可能に接続されたユーザ認証カード２８や、情報データの内容を格納し記憶するための記憶部２６を含む。なお、情報保存手段２５としては、これらのいずれか一方でもよいし、他に、ユーザ認証機能を持たないＳＤ（Secure Digital）カード等の記憶媒体でもよい。
【００２１】
入出力部２２は、音声等の入出力部や画像を出力する表示部等を有して構成される。操作部２４は、ボタン等の操作入力を受け付ける。通信システム接続アプリ制御部２０は、無線ＬＡＮ通信部９を用いて無線ＬＡＮに接続するための通信設定や通信制御を行う。制御部１４は、無線通信端末１の各部を制御する。
【００２２】
なお、無線通信端末１が携帯電話機能を備える場合には、さらに、移動体通信網に接続するための移動体通信部を有する。
【００２３】
図２は、無線ＬＡＮ設定情報の一例を示す図である。無線ＬＡＮ通信する際に設定する無線ＬＡＮ設定情報は、設定名称、詳細設定、運用設定等を含む種別、各種別に対応する名称とその設定値を有する。
【００２４】
図２の例では、通信設定名として、「ｗｌａｎ＿ｔｅｓｔ」と設定されている。詳細設定情報は、ＥＳＳＩＤ、ＷＥＰキー、ｏｔｈｅｒ、等を有する。ＥＳＳＩＤは、無線ＬＡＮの基地局（以下、アクセスポイントという）と各端末に設定するネットワーク識別子（ＥＳＳＩＤ：Extended Service Set Identifier、以下ＥＳＳＩＤと称す）であり、無線電波による混信を防ぐためにＥＳＳＩＤが一致する装置の間のみで無線ＬＡＮ通信するために任意に設定された最大３２文字までの英数字からなる設定情報である。本実施形態のＥＳＳＩＤには、例えば「ｗｌａｎＴｅｓｔ」が設定される。
【００２５】
ＷＥＰキーは、無線で通信する機器同士の通信データのセキュリティを機能させ、無線ＬＡＮのデータ・ストリームを保護し、安全に無線ＬＡＮを利用するために登録する同一の暗号化（ＷＥＰ：Wired Equivalent Privacy、以下ＷＥＰと称す）キーである。ＷＥＰキーを設定しておけば、第三者に無線の通信内容を傍受されたとしても通信データの内容を読み取られる危険を防ぐことができる。ＷＥＰキーの長さには４０ビット、１０８ビット等があり、この例では設定値が例えば「６４ＸＸＸＸＸＸＸＸ」である。
【００２６】
ｏｔｈｅｒは、その他の任意の詳細設定情報が設定され、何も設定しない場合は設定値に例えば「−」の設定をする。
【００２７】
運用設定には、有効期限と設定表示許可の名称を指定する。例えば２００４年７月３０日１７時００分００秒までが、この通信設定の有効期限である場合、有効期限の設定値を例えば「有」及び「２００４．７．３０  １７．００．００」とする。
【００２８】
設定表示許可をしない場合は、設定値に例えば「否」を設定する。このように、「設定情報表示の可否」と「有効期限」を含む無線ＬＡＮ設定情報を設定することによって、漏洩すると問題のある詳細設定情報を有効期限が過ぎたら表示しないように設定でき、セキュリティ情報が内部から漏れることなくセキュリティレベルが向上する。
【００２９】
また、この有効期限を含む運用設定の内容は、必要に応じて更新変更されるよう運用設定更新手段（図示なし）を搭載してもよい。
【００３０】
無線ＬＡＮ設定情報は、通信システム接続アプリ制御部が記憶部又はユーザ認証カードから「設定情報表示の可否」と「有効期限」の情報を読取ることによって、情報制御され情報伝送される。
【００３１】
通信システム接続アプリ制御部２０は、無線ＬＡＮ設定情報の有効期限が過ぎたら記憶部２６又はユーザ認証カード２８に保存されている無線ＬＡＮ設定情報を消去する。
【００３２】
図３は、本発明の実施形態の無線ＬＡＮ設定一覧の表示の一例を示す図である。図３に示すように、無線通信端末１の入出力部２２の表示部には、無線ＬＡＮ設定一覧情報が表示可能である。例えば、情報保存手段２５に複数の無線ＬＡＮ設定が記憶されている場合には、その複数の無線ＬＡＮ設定が一覧で表示される。図３では、その無線ＬＡＮ設定の例として、「Ｈｏｍｅ」、「Ｏｆｆｉｃｅ」、「ｗｌａｎ＿ｔｅｓｔ」、「ｏｔｈｅｒ」が示されている。
【００３３】
図４は、本発明の実施形態の無線ＬＡＮ設定情報の表示の一例を示す図である。図４に示すように、無線通信端末１の入出力部２２の表示部には、任意の無線ＬＡＮ設定情報が表示可能である。例えば、図３に示される一覧から選択された所望の設定や、現在通信を行っている無線ＬＡＮ設定等が表示される。
【００３４】
図４の例では、表示項目として、設定名、ＥＳＳＩＤ、ＷＥＰ、有効期限、詳細設定表示が表示され、それぞれ、「Ｈｏｍｅ」「ｈｏｍｅ」「６４ｋ」「無し」「可」が表示される。この場合、詳細設定表示が「可」指定であるので、ＥＳＳＩＤ及びＷＥＰは隠蔽されることなく明示情報として設定される。
【００３５】
図５は、本発明の実施形態の無線ＬＡＮ設定情報の表示の他の例を示す図である。図５では、無線ＬＡＮの詳細設定表示を不許可とした場合の無線ＬＡＮ設定表示の例を示す。  図５に示されるように、詳細設定表示が「否」と指定されているので、ＥＳＳＩＤ及びＷＥＰは隠蔽情報として設定される。
【００３６】
図６は、本発明の実施形態の無線ＬＡＮ設定システムを説明する全体シーケンス図である。なお、このシステムでは、無線通信端末１と近距離無線通信を行う対象として、自動改札システム９１を用いた例について説明する。
【００３７】
最初に、無線通信端末１の近距離通信システム無線部１６と改札システム９１の近距離無線部９４とのあいだで、通信プロトコルによるメッセージ交換をおこない通信リンクを確立する（ステップＳ１）。次いで、無線通信端末１の制御部１４と改札システム９１の料金制御部９６とのあいだで、メッセージ交換し、例えば、料金支払いの手続きをおこなう（ステップＳ２）。
【００３８】
次いで、改札システム９１の端末設定部９８は、無線通信端末１の通信システム接続アプリ制御部２０に対して、無線ＬＡＮ設定情報の通知信号を無線送信する（ステップＳ３）。無線通信端末１の通信システム接続アプリ制御部２０は、この通知信号を受信した後、無線通信端末１の制御部１４へＷＬＡＮ設定情報を保存するための制御信号を出力する（ステップＳ４）。これによって、近距離通信システム無線部１６の近距離無線インタフェースを介して無線ＬＡＮ設定情報を取得し記憶部２６又はユーザ認証カード２８の情報保存手段２５に保存する機能が実現する。
【００３９】
次いで、通信端末１の通信システム接続アプリ制御部２０は、改札システム９１の端末設定部９８へ無線ＬＡＮ設定情報の設定完了の応答信号を無線送信する（ステップＳ５）。改札システム９１の端末設定部９８は、この応答信号を受信した後、マナーとして静粛が要求される公共空間で携帯電話を持ち歩くために、携帯電話端末を消音モードにするためのマナーモードを設定するメッセージ交換を無線通信端末１の制御部１４とのあいだでやり取りする（ステップＳ６）。
【００４０】
図７は、本発明の実施形態の無線ＬＡＮ設定システムにおける無線ＬＡＮ通信設定を説明するシーケンス図である。最初に、無線通信端末１の近距離通信システム無線部１６と改札システム９１の近距離無線部９４とのあいだで、通信プロトコルによるメッセージ交換をおこない通信リンクを確立する（ステップＳ１０）。
【００４１】
通信リンクが確立すると、改札システム９１の端末設定部９８は、無線ＬＡＮ設定情報の通知信号を改札システム９１の近距離無線部９４へ出力する（ステップＳ１１）。次いで、無線通信端末１は近距離通信システム無線部１６を介して近距離通信システム送受信部１８が無線ＬＡＮ設定情報を受信する（ステップＳ１２）。
【００４２】
次いで、無線通信端末１の近距離通信システム送受信部１８は、無線ＬＡＮ設定情報を無線通信端末１の通信システム接続アプリ制御部２０へ通知する（ステップＳ１３）。この通知された無線ＬＡＮ設定情報は無線通信端末１のユーザ認証カード２８又は記憶部２６の情報保存手段２５に既に保存されている無線ＬＡＮ設定情報と照合確認され（ステップＳ１４）、その後、情報保存手段２５のユーザ認証カード２８又は記憶部２６に保存される（ステップＳ１５）。
【００４３】
次いで、無線通信端末１の通信システム接続アプリ制御部２０は、無線ＬＡＮ設定が完了したことを通知する応答信号を近距離通信システム送受信部１８へ出力する（ステップＳ１６）。引き続いて、近距離通信システム送受信部１８は、近距離通信システム無線部１６を介して、無線ＬＡＮ設定完了の応答信号を改札システム９１に対して送信する（ステップＳ１７）。改札システム９１の近距離無線部９４は、無線ＬＡＮ設定完了の応答信号を受信し、端末設定部９８へ受信信号を出力する（ステップＳ１８）。
【００４４】
図８は、本発明の実施形態の無線ＬＡＮ設定情報における有効期限に関する処理を示すシーケンス図である。タイマーによる有効期限切れの通知信号が無線通信端末１の通信システム接続アプリ制御部２０に入力されると（ステップＳ２０）、通信システム接続アプリ制御部２０は、無線ＬＡＮ通信の停止を要求する信号を通信システム送受信部１２に出力する（ステップＳ２１）。
【００４５】
次いで、通信システム送受信部１２は、無線ＬＡＮ通信の停止を要求する信号を通信システム無線部１０に出力する（ステップＳ２２）。無線ＬＡＮ通信が停止すると、通信システム無線部１０は、無線ＬＡＮ通信の停止が完了したことを知らせる応答信号を通信システム送受信部１２に出力する（ステップＳ２３）。
【００４６】
次いで、通信システム送受信部１２は、無線ＬＡＮ通信の停止が完了したことを知らせる応答信号を通信システム接続アプリ制御部２０に出力する（ステップＳ２４）。次いで、通信システム接続アプリ制御部２０は、無線通信端末１のユーザ認証カード２８又は記憶部２６の無線ＬＡＮ設定情報を消去する（ステップＳ２５）。
【００４７】
以上述べたように、本実施形態の無線通信端末は無線ＬＡＮ通信設定と料金支払いが同時に処理できることにより、従来はサービス契約時に無線ＬＡＮ設定情報を入手して設定操作していたが、この本実施形態の無線ＬＡＮ設定システムを利用することにより、利用者は、無線ＬＡＮ通信設定の操作アクションを起こす必要がなく、無線ＬＡＮ通信設定について専門的知識に基づいた設定操作方法を認識する必要がない。
【００４８】
特に、駅構内に入るときに近距離無線通信を用いて改札を行う自動改札システムでは、利用者は改札を行うために近距離無線通信を行う。したがって、その際に同時に無線ＬＡＮ通信設定を行うことで、利用者は、無線ＬＡＮ設定情報取得のためだけに近距離通信を行う必要がなく、効率的に無線ＬＡＮ設定情報を取得することができる。
【００４９】
また、無線ＬＡＮ通信設定提供者は、漏洩すると問題が生じる可能性のある詳細設定情報を外部に表示しないように要求する設定通知ができる。従って、外部にセキュリティ情報が漏れる可能性が低くなり、セキュリティレベルの向上が期待できる。
【００５０】
また、本発明の実施形態を利用することにより、例えば自動改札システムと本発明の実施形態の無線通信端末とのあいだで、非接触ＩＣインタフェースを用いた料金支払い、無線ＬＡＮ設定、マナーモード設定、等が実現する。
【００５１】
なお、無線ＬＡＮシステムの一例として、駅の自動改札システムを利用した場合について説明したが、これに限定されることなく他のシステム、例えば、カフェ、病院、会社、学校、イベントショップ、等にも利用可能である。さらに、利用する人の識別認識、自動的に料金支払いする電子マネー機能、利用機器の設定及び操作、等を組み合わせた無線ＬＡＮ通信システムへの応用も可能である。
【００５２】
以上説明したように、本発明の実施形態を利用することにより、例えば自動改札システムと本発明の実施形態の無線通信端末とのあいだで、非接触ＩＣインタフェースを利用することによって、例えば、料金支払い、無線ＬＡＮ設定、マナーモード設定、等が利用する人に煩雑な操作を強いることなく簡易に実現し、さらに無線ＬＡＮ設定情報の表示可否の機能を有するのでセキュリティレベルが向上する。
【産業上の利用可能性】
【００５３】
本発明の無線通信端末及び無線通信方法は、容易に無線ＬＡＮ接続の設定が可能な効果を有し、駅の自動改札システム等を利用した無線ＬＡＮシステム等に有用である。
【図面の簡単な説明】
【００５４】
【図１】本発明の実施形態に係る無線通信端末の概略構成を示すブロック図
【図２】無線ＬＡＮ設定情報の一例を示す図
【図３】本発明の実施形態の無線ＬＡＮ設定一覧の表示の一例を示す図
【図４】本発明の実施形態の無線ＬＡＮ設定情報の表示の一例を示す図
【図５】本発明の実施形態の無線ＬＡＮ設定情報の表示の他の例を示す図
【図６】本発明の実施形態の無線ＬＡＮ設定システムを説明する全体シーケンス図
【図７】本発明の実施形態の無線ＬＡＮ設定システムにおける無線ＬＡＮ通信設定を説明するシーケンス図
【図８】本発明の実施形態の無線ＬＡＮ設定情報における有効期限に関する処理を示すシーケンス図
【符号の説明】
【００５５】
１    無線通信端末
９    無線ＬＡＮ通信部
１０  通信システム無線部
１２  通信システム送受信部
１４  無線端末の制御部
１５  近距離無線通信部
１６  近距離通信システム無線部
１８  近距離通信システム送受信部
２０  通信システム接続アプリ制御部
２２  入出力部
２４  操作部
２５  情報保存手段
２６  記憶部
２８  ユーザ認証カード
【図１】
2006166311.tif 000003
【図２】
2006166311.tif 000004
【図３】
2006166311.tif 000005
【図４】
2006166311.tif 000006
【図５】
2006166311.tif 000007
【図６】
2006166311.tif 000008
【図７】
2006166311.tif 000009
【図８】
2006166311.tif 000010